(57)【要約】【課題】  太陽電池モジュールの固定部分からの破損を防ぎ、耐久性の高い太陽電池モジュールを提供する。【解決手段】  太陽電池モジュール端部を、固定部材の屈曲部に挿入して挟持し、前記太陽電池モジュールの受光面側または非受光面側の少なくとも一面に接着材をつけて上下いずれかのフレームと接着し、隣り合う２つの太陽電池モジュールの間の固定部材をネジ留めまたは万力で挟み、屋根や壁などの支持材に固定する。【選択図】図１
2012167436.tif 000002
【特許請求の範囲】
【請求項１】
可撓性を有する太陽電池モジュールと、それを挟持する固定部材を有し、前記固定部材が支持材に固定される固定装置において、
前記太陽電池モジュールの少なくとも対向する２辺の、少なくとも一部を固定部材で挟持し、
前記太陽電池モジュールの受光面側または非受光面側の少なくとも一面に接着材が配置され、前記固定部材と接着して挟持されていることを特徴とする太陽電池モジュールの固定装置。
【請求項２】
前記太陽電池モジュールは、少なくとも、モジュールの対向する長辺に接着材を接着することを特徴とする、請求項１に記載の太陽電池モジュールの固定装置。
【請求項３】
前記太陽電池モジュールに接着する前記接着材が、両面テープであることを特徴とする、請求項１または２に記載の太陽電池モジュールの固定装置。
【請求項４】
前記固定部材は、隣り合う２つの前記太陽電池モジュールの非発電領域の少なくとも一部を挟持し、前記固定部材の少なくとも１箇所は支持材に固定されていることを特徴とする、請求項１から３のいずれかに記載の太陽電池モジュールの固定装置。
【請求項５】
前記固定部材が屈曲していることを特徴とする、請求項１から４のいずれかに記載の太陽電池モジュールの固定装置。
【請求項６】
前記太陽電池モジュールの端部は、前記固定部材の屈曲部の間に挿入して挟持されることを特徴とする、請求項１から４のいずれかに記載の太陽電池モジュールの固定装置。
【発明の詳細な説明】
【技術分野】
【０００１】
本発明は、可撓性を有する太陽電池モジュールの構造体、およびその固定装置に関する。
【背景技術】
【０００２】
図３に、薄膜太陽電池を、封止材または保護フィルム付の封止材でラミネートし、固定するためのフレームを取り付けた太陽電池モジュール１の従来構造を示す。薄膜太陽電池は、可撓性基板に電極及び光電変換層を積層したもので、太陽電池モジュールも可撓性を有している。
太陽電池モジュール１の端部の非受光面側に接着材５を貼り、下フレーム３と接着した。面側から上フレーム２を太陽電池モジュール端部に設置し、上フレーム２の上から固定ネジ４で太陽電池モジュール１と下フレーム３を固定した。太陽電池モジュール１端部は、固定ネジ４により固定されている。更に、上フレーム１と下フレーム３は、図示していない屋根または壁などの支持材に固定される。
特許文献１には、太陽電池モジュールとフレームを、ネジとブチルゴムなどの弾力性を有する有機材料で固定される構造が開示されている。
特許文献２には、太陽電池モジュールをフレームの溝に差し込む構造が開示されている。
特許文献３には、太陽電池モジュールの貫通孔周囲に補強材を取り付けた構造が開示されている。
【先行技術文献】
【特許文献】
【０００３】
【特許文献１】特開２００１−７３７５号公報
【特許文献２】特開２００４−２９７１０４号公報
【特許文献３】特開２００２−１４１５４２号公報
【発明の概要】
【発明が解決しようとする課題】
【０００４】
特許文献１に記載された従来構造のように、太陽電池モジュールに貫通孔（取付け穴）をあけて固定した場合、孔周りに応力が集中し、長期間設置する間に、孔周囲の変形が生じたり、孔周りから破損する場合があった。
【０００５】
また、特許文献２に記載された構造では、可撓性をもつ太陽電池モジュールを挟み込む力が弱く、長期間強い風圧に曝された場合、モジュールがフレームから抜けてはずれてしまう可能性があった。
また、特許文献３のように貫通孔周りに補強材を設置する構造は、補強材および補強材を取り付ける工程が増えるという問題があった。
【０００６】
本発明は、太陽電池モジュールの固定部分からの破損を防ぎ、かつ、強固に固定するための太陽電池モジュールの固定装置を提供することを目的とする。
【課題を解決するための手段】
【０００７】
上記従来技術の有する課題を解決するために、本発明は、太陽電池モジュールの少なくとも対向する２辺の、少なくとも一部を固定部材で挟持し、太陽電池モジュールの受光面側または非受光面側の少なくとも一面に接着材が配置され、固定部材と接着して挟持されている。固定部材は、屋根や壁などの支持材に固定される。
また、太陽電池モジュールは、少なくとも、モジュールの対向する長辺に接着材を接着する。
また、太陽電池モジュールに接着する接着材は、両面テープである。
また、固定部材は、隣り合う２つの太陽電池モジュールの非発電領域の少なくとも一部を挟持し、固定部材の少なくとも１箇所は屋根や壁などの支持材に固定される。
また、固定部材は屈曲した形状である。
また、太陽電池モジュールの端部は、固定部材の屈曲部の間に挿入して挟持される。
【発明の効果】
【０００８】
本発明によれば、太陽電池モジュールの固定部分からの破損を防ぎ、かつ、強固に固定するための太陽電池モジュールの固定装置を得ることができる。
【図面の簡単な説明】
【０００９】
【図１】本発明の実施例
【図２】（ａ）本発明の実施例モジュール平面図、（ｂ）Ａ−Ａ’断面図
【図３】従来の実施例
【発明を実施するための形態】
【００１０】
図１に本発明の実施形態を示す。
太陽電池モジュール１は、可撓性絶縁基板上に電極および光電変換層を形成した薄膜太陽電池６を、可撓性の絶縁保護材により封止して製造した。薄膜太陽電池６は、発電領域である。太陽電池モジュール１は、固定部材である上フレーム２と下フレーム３で挟み、太陽電池モジュール１の非受光面側に、接着材５をつけて下フレーム３と接着した。
このとき、太陽電池モジュール１の受光面側と上フレーム２を接着してもよく、太陽電池モジュールの両面に接着材５をつけて、上フレーム２と下フレーム３の両方と接着してもよい。
太陽電池モジュールの対向する２つの長辺に接着材をつけ、フレームを接着した。太陽電池モジュールの外周全てにフレームを接着してもよい。
接着材５として、反応硬化型接着剤や粘着テープなどの接着材を用いてよいが、両面テープの場合、位置あわせが容易で、厚さむらも少なく接着できるので望ましい。
【００１１】
太陽電池モジュール１の非発電領域の一部である端部を、固定部材である上フレーム２と下フレーム３の間に挟み込む。このとき、太陽電池モジュールの端部をフレームが屈曲した部分に挟み込むため、端部処理（トリミング）の精度を緩和できるという利点がある。更に、太陽電池モジュールとフレームの接する部分が多くなることにより、挟んで固定する面積が多くなるため、太陽電池モジュールがフレームから抜けることを防止できる。
次に、太陽電池モジュール１の受光面上側から、隣り合う太陽電池モジュール１の間の上下のフレームを固定ネジ４で、図示していない屋根または壁などの支持材に固定する。固定ネジ４以外に、万力で挟んでもよい。図２（ａ）に、本発明の実施例の平面図を、図２（ｂ）に（ａ）のＡ−Ａ’断面図を示す。
また、上フレームと下フレームが屈曲していることにより、曲げ剛性に寄与する定数（断面係数・断面２次モーメントなど）が向上し、平板の状態よりも固定部材の剛性が上がる。また、太陽電池モジュール端部は、薄膜太陽電池の平面に対し、屈曲部の内部に挿入されることになるため、更に太陽電池モジュールがフレームから抜けにくくなる。
以上の固定装置により、太陽電池モジュールの端部を両面テープでフレームに接着することにより、太陽電池モジュールが両面テープとの接着面に平行な方向に動かないように固定することができ、更に、固定部材である上下フレームの間に太陽電池モジュールの端部を挿入して挟みこむことにより、両面テープの接着面に対し垂直な方向へ動かないように強固に固定することができる。
[実施例１]
太陽電池モジュールを、図１に示す構造で屋根に固定した。
【００１２】
太陽電池モジュールの端部の非受光面側に両面テープを貼り、固定部材の下フレームと接着した。受光面側から固定部材の上フレームを太陽電池モジュールに設置し、隣り合うモジュールの間部分を、固定ネジで上フレームと下フレームを屋根に固定した。太陽電池受光モジュール端部は、上下フレームの屈曲部に挟み込まれている。
[比較例１]
実施例１で用いたものと同じ太陽電池モジュールを、図３に示す構造で屋根に固定した。
【００１３】
太陽電池モジュールの端部の非受光面側に両面テープを貼り、固定部材の下フレームと接着した。受光面側から上フレームを太陽電池モジュール端部に設置し、上フレームの上から固定ネジで太陽電池モジュールと下フレームを固定した。太陽電池モジュール端部は、固定ネジにより固定されている。
【００１４】
実施例１と比較例１のモジュール構造体の耐風圧試験を実施し、その後モジュール固定部の引張強度を測定した。耐風圧試験条件は、モジュール面にあたる風圧が２４００Ｐａ（風速３６ｍ/ｓの３倍相当）を正負圧交互に各３回あてた。放置時間は各１時間とした。耐風圧試験後、モジュール端部を評価治具に設置し、図１の矢印Ｂの方向に引張り、固定部材接着部での引張強度を測定した。その結果を表１に示す。比較例１の強度を１．０とすると、実施例１の引張強度は１．５であり、比較例１よりも高い強度が得られた。
【００１５】
【表１】
2012167436.tif 000003
【００１６】
以上により、本発明の屈曲した固定部材にモジュールを挟み込む構造により、機械的固定力が更に向上した太陽電池モジュール構造体および固定装置を得ることができた。
【符号の説明】
【００１７】
１  太陽電池モジュール
２  固定部材（上フレーム）
３  固定部材（下フレーム）
４  固定ネジ
５  接着材
６  薄膜太陽電池（発電領域）
【図１】
2012167436.tif 000004
【図２】
2012167436.tif 000005
【図３】
2012167436.tif 000006